(57)【特許請求の範囲】
【請求項１】
ケーシング(10)に設けられステータ巻線(11)を有する輪状ステータ(12)と、前記輪状ステータ(12)の内側に回転自在に設けられたロータ(32)と、前記ケーシング(10)に設けられ前記輪状ステータ(12)の隣に設けられたステータトランス(1)と、前記ステータトランス(1)の内側に回転自在に設けられたロータトランス(33)とからなるブラシレスレゾルバにおいて、前記ステータトランス(1)は、輪状ボビン(3)に巻回されたステータトランス巻線(4)と、前記輪状ボビン(3)を保持する輪状ステータトランスケース(2)と、前記輪状ステータトランスケース(2)の内径壁(20)に形成され互いに内径が異なる第１内径壁(20a)及び第２内径壁(20b)とよりなり、前記輪状ボビン(3)の外周は前記第１内径壁(20a)に対応して位置し、前記ステータトランス巻線(4)の外周は前記第２内径壁(20b)に対応して位置していると共に、前記第２内径壁(20b)の内径の方が前記第１内径壁(20a)の内径よりも大で、前記ステータトランス巻線(4)の前記第２内径壁(20b)に対応する部分が外側へ突出していることを特徴とするブラシレスレゾルバ。
【発明の詳細な説明】
【０００１】
【発明の属する技術分野】
本発明は、ブラシレスレゾルバに関し、特に、ステータトランスの内径壁を互いに内径が異なる段付形状とし、従来と同一形状のボビンを用いて従来よりも多くのステータトランス巻線を巻回し、ブラシレスレゾルバの特性の設定範囲を拡大することができるようにするための新規な改良に関する。
【０００２】
【従来の技術】
従来、用いられていたこの種のブラシレスレゾルバにおけるステータトランスとしては、一般に図４で示される構成が採用されていた。
すなわち、図４において符号１で示されるものは全体が輪状の箱形状をなすステータトランスであり、このステータトランス１の輪状ステータトランスケース２の内側には、この輪状ステータトランスケース２の内孔２ａと同径の内孔３ａを有する輪状ボビン３が内設されている。
前記輪状ボビン３の外周にはステータトランス巻線４が巻回されていた。
【０００３】
【発明が解決しようとする課題】
従来のブラシレスレゾルバは、以上のように構成されていたため、次のような課題が存在していた。
すなわち、樹脂製のボビンにステータトランス巻線を巻回して設けているため、レゾルバの信号の授受を行うための回転トランスの感度の向上、レゾルバの特性（位相ずれ等）の設定範囲を拡大するためには、ステータトランス巻線の巻線量を増加させる必要があり、そのためには、ボビンの形状を変更しなければならず、新規に金型を製作する必要が生じ、製造コストの増加を招くことになっていた。
【０００４】
本発明は、以上のような課題を解決するためになされたもので、特に、ステータトランスの内径壁を互いに内径が異なる段付形状とし、従来と同一形状のボビンを用いて従来よりも多くのステータトランス巻線を巻回し、ブラシレスレゾルバの特性の設定範囲を拡大することができるようにしたブラシレスレゾルバを提供することを目的とする。
【０００５】
【課題を解決するための手段】
本発明によるブラシレスレゾルバは、ケーシングに設けられステータ巻線を有する輪状ステータと、前記輪状ステータの内側に回転自在に設けられたロータと、前記ケーシングに設けられ前記輪状ステータの隣に設けられたステータトランスと、前記ステータトランスの内側に回転自在に設けられたロータトランスとからなるブラシレスレゾルバにおいて、前記ステータトランスは、輪状ボビンに巻回されたステータトランス巻線と、前記輪状ボビンを保持する輪状ステータトランスケースと、前記輪状ステータトランスケースの内径壁に形成され互いに内径が異なる第１内径壁及び第２内径壁とよりなり、前記輪状ボビンの外周は前記第１内径壁に対応して位置し、前記ステータトランス巻線の外周は前記第２内径壁に対応して位置していると共に、前記第２内径壁の内径の方が前記第１内径壁の内径よりも大で、前記ステータトランス巻線の前記第２内径壁に対応する部分が外側へ突出している構成である。
【０００６】
【発明の実施の形態】
以下、図面と共に本発明によるブラシレスレゾルバの好適な実施の形態について説明する。なお、従来例と同一又は同等部分については同一符号を用いて説明する。
図１において符号１０で示されるものは全体形状が輪状をなすケーシングであり、このケーシング１０には、ステータ巻線１１を有する輪状ステータ１２が設けられている。
【０００７】
前記輪状ステータ１２の隣の位置には、ステータトランス１が設けられており、このステータトランス１の磁性体よりなる輪状ステータトランスケース２の内側には、樹脂製の輪状ボビン３に巻回されたステータトランス巻線４が内設されている。
前記輪状ステータトランスケース２の内径壁２０には、この内径壁２０を切削して形成し互いに内径が異なる第１内径壁２０ａ及び第２内径壁２０ｂが２段状に設けられている。すなわち、前記第２内径壁２０ｂの内径の方が前記第１内径壁２０ａの内径よりも大であるように構成されている。
前記輪状ボビン３の外周は前記第１内径壁２０ａに対応して位置し、ステータトランス巻線４は前記第２内径壁２０ｂに対応して位置している。従って、このステータトランス巻線４は、この第２内径壁２０ｂに対応する部分が外側へ突出していることによって、従来の巻線量よりも約３０％位増量することができる。
【０００８】
前記ケーシング１０の内側に回転自在に設けられた中空ロータ３０の外周には、ロータ巻線３１を有するロータ３２が前記輪状ステータ１２に対応して配設されており、このロータ３２の隣には、前記ステータトランス１に対応してロータトランス巻線３４を有するロータトランス３３が設けられている。なお、周知のようにロータ巻線３１とロータトランス巻線３４とは接続されており、各巻線３１、１１の何れかを励磁するように構成されている。
【０００９】
従って、前述の構成において、各巻線３１、１１の何れかを励磁した状態で中空ロータ３０が回転すると、ロータ３２の回転に応じた回転検出信号がロータトランス３３及びステータトランス１を介してリード線５０を介して外部に導出される。
【００１０】
【発明の効果】
本発明によるブラシレスレゾルバは、以上のように構成されているため、次のような効果を得ることができる。
すなわち、ステータトランスの加工しやすい輪状ステータトランスケースの内径壁を切削して互いに内径が異なる段付き形状としているため、ステータトランス巻線を従来よりも外側へ突出させて巻線量を従来よりも増量させることができ、ブラシレスレゾルバの特性（位相ずれ等）の設定範囲を拡大することができる。
また、コストアップとなる輪状ボビンの金型等の変更をすることなく、巻線量を増大して回転トランスの電磁的感度を向上させることができる。
【図面の簡単な説明】
【図１】  本発明によるブラシレスレゾルバを示す断面図である。
【図２】  図１の要部を示す断面図である。
【図３】  図２の要部の拡大断面図である。
【図４】  従来のステータトランスを示す断面図である。
【符号の説明】
１    ステータトランス
２    輪状ステータトランスケース
３    輪状ボビン
４    ステータトランス巻線
１０    ケーシング
１１    ステータ巻線
１２    輪状ステータ
２０    内径壁
２０ａ    第１内径壁
２０ｂ    第２内径壁
３２    ロータ
３３    ロータトランス
【図１】
0004639273.tif 000002
【図２】
0004639273.tif 000003
【図３】
0004639273.tif 000004
【図４】
0004639273.tif 000005